(57)【要約】【課題】本発明は、ゴルフ練習場等の打席正面にモニター画面を配し、その場でスイングの矯正練習を行うことができるスイング練習機を提供することを目的とする。【解決手段】本発明のスイング練習機は、ゴルフ練習場等の打席に位置するプレーヤの映像を映し出す第一液晶モニター１と、同プレーヤの同映像を同時に映し出す第二液晶モニター２と、前記第一液晶モニター１と第二液晶モニター２とを角度調整自在に支承するモニター固定台板３と、該モニター固定台板３を適宜高さ位置に支持する高さ調節自在のモニター支持スタンド４と、水平回転可能に軸支された操作パネル回転盤５と、各種の操作スイッチを有する操作パネル６と、前記操作パネル回転盤５を水平回転可能に軸支する四脚固定台７と、該四脚固定台７に開閉脚自在に固定された四脚８とから構成される。【選択図】図１
2007209650.tif 000002
【特許請求の範囲】
【請求項１】
ゴルフ練習場等の打席に位置するプレーヤーを撮影するビデオカメラの映像を映し出す、ゴルフ練習場等の打席正面に位置する第一液晶モニターと、該第一液晶モニターと背中合わせに配置され、同プレーヤーの同映像を同時に映し出す第二液晶モニターと、前記第一液晶モニターと第二液晶モニターとを角度調整自在に支承するモニター固定板と、該モニター固定台板を適宜高さ位置に支持する高さ調整自在のモニター支持スタンドと、該モニター支持スタンドを中心位置に立設し、水平回転可能に軸支された操作パネル回転盤と、前記第一液晶モニター側の操作パネル回転盤上に配置され、各種操作スイッチを有する操作パネルと、前記操作パネル回転盤を水平回転可能にする四脚固定台に開閉脚自在に固定された四脚とから構成されることを特徴とするスイング練習機。
【請求項２】
前記第一液晶モニター及び第二液晶モニター画面上に自身のスイング中で矯正したい個所にラインや円等を予め自身の手により表示し、更に、正面、側面、背面等に配置された移動自在なビデオカメラによる画像を同画面に取り込み合成した画像を元にしてリアルタイムでスイング矯正練習を行うことを特徴とする請求項１記載のスイング練習機。
【請求項３】
前記第一液晶モニター及び前記第二液晶モニター画面上に表示される直線や斜線や円などは予め自身のスイング中で矯正したい個所に自身で画像上に書き込むか又はボタン操作等により、角度、大きさ、太さ、長さ、色、本数等をそれぞれ調整できることを特徴とする請求項１記載のスイング練習機。
【請求項４】
前記第一液晶モニター及び前記第二液晶モニター画面上に格子状のラインが常時表示されていることを特徴とする請求項１記載のスイング練習機。
【請求項５】
前記第一液晶モニター及び前記第二液晶モニター画面に正面及び背面に配置された移動自在なビデオカメラにより撮影された画像を表示する際に画面上には常時時計の時刻表示を模した円が表示され、その円には１時から１２時までの時刻位置に数字表示がなされ、なおかつそれぞれの時刻間は異色で表示されていることを特徴とする請求項１記載のスイング練習機。
【請求項６】
前記第一液晶モニター及び前記第二液晶モニター画面上の画像のうち正面に配置されたカメラにより撮影された画像はプレーヤー打席から見て左右位置が逆位置の鏡表示されることを特徴とする請求項１記載のスイング練習機。
【請求項７】
前記第一液晶モニター側の操作パネル回転盤上に配置され、各種操作スイッチを有する操作パネルを操作しラインや円等を指導的立場にある第三者等が第二モニター画面上に挿入した場合、第一液晶モニター画面を見てスイング矯正練習を行うプレーヤーにラインや円などの挿入画像により矯正部分の指示指導を行うことを可能とする特徴を持つ請求項１記載のスイング練習機。
【請求項８】
前記第一液晶モニターの左右にはそれぞれクラブタッチ感知センサーが配置されていることを特徴とする請求項１記載のスイング練習機。
【請求項９】
前記第一液晶モニター下部に固定型ピンポイント照射ランプが設けられていることを特徴とする請求項１記載のスイング練習機。
【請求項１０】
前記第一液晶モニター下部に角度調整自在なピンポイント照射ランプが複数個設けられていることを特徴とする請求項１記載のスイング練習機。
【請求項１１】
前記第一液晶モニター及び前記第二液晶モニター画面上に表示される画像を撮影する移動自在なビデオカメラ下部に固定型ピンポイント照射ランプが設けられていることを特徴とする請求項１記載のスイング練習機。
【発明の詳細な説明】
【技術分野】
【０００１】
本発明は、ゴルフ練習場等の打席正面に配置されたモニター画面を見ながらスイング矯正を行うことができるスイング練習機に関する。
【背景技術】
【０００２】
従来、自己のゴルフスイングフォームを人手に頼らずに簡単な操作で撮影・再生することができ、しかもスイングフォームのうちの再生したい部分を迅速に再生することの可能なゴルフスイングフォーム再生装置が知られている（特許文献１を参照）。
また、ゴルフ練習システムにおいて、人がゴルフクラブを持って素振りをするのに十分な広さを持つ空間を用意し、前記空間内あるいはその壁面などに１枚以上の鏡と１台以上の表示装置を設置し、素振りをする人が鏡に映る自分自身の姿と表示装置に表示されるゴルフスイング映像とを見ることができるものが知られている（特許文献２を参照）。
その他に、打球しようとするゴルフボール直近に設置されたディスプレイに、正面及び側面又はそのどちらかに設置された電子カメラからの映像を画面上に表示し、練習者自身の思い描くスイング軌道、手首の位置、コックの状態、等々を自身の目で見据えながらスイング動作を行うゴルフ練習装置が知られている（特許文献３を参照）。
一般にプレーヤーがカメラを利用してスイングチェックを行う場合には市販のビデオカメラやデジタルカメラの動画撮影機能または携帯電話の動画撮影機能などを利用して行われることが多い。
また、レッスンプロなどの指導者においてはプレーヤーのビデオ撮影されたスイング画像をパソコン等に取り込みスイングチェックソフトなどを活用して再生画像にラインや円などを表示しスイングの矯正指導を行ってきた。
これ等はインターネットを利用して行われることも多く著名なレッスンプロなどが一般プレーヤーのビデオ画像にスイングの修正ラインや理想的なライン等を表示して指導する方法等も多く行われてきた。
しかし、これらの方法のすべてにおいて第三者である撮影者はリアルタイム画像を見ることができるが肝心要のプレーヤー自身がリアルタイム画像を見ることができなかった。
再生画像にチェックラインなどを表示して行う従来のチェック方法はすべて再生画像を元に行うものであってプレーヤー自身が自身のリアルタイムスイング画像を見ながらスイング矯正練習を行うことが目的ではなかった。
したがって、再生画像を元にラインなどを表示して行うチェック方法には、リアルタイム画像を元にその場でスイング矯正するような効果はなく、あくまでも限定された効果より望めなかった。
【特許文献１】特開平０６−０３９０７０号公報
【特許文献２】特開２００４−３５８０２３号公報
【特許文献３】特開２００５−０１３６７３号公報
【発明の開示】
【発明が解決しようとする課題】
【０００３】
本発明は、ゴルフ練習場等の打席正面にモニター画面を配し、予め自身の手によりモニター画面にチェックラインや円などを表示し、その画面に、正面、側面、背面等に配置されたビデオカメラで撮影された自身のリアルタイムスイング画像を取り込んで合成された画像を元に、予め自身の手によって表示されたチェックラインやチェック円等と自身のスイングのリアルタイム画像における、スイングプレーン、グリップ位置、クラブヘッッド位置等との誤差を比較することにより感覚的誤差をリアルタイム画像で掌握し、その場でチェックラインやチェック円を見ながら素振りやハーフスイングやフルスイングを行うことで自身が表示した理想のラインや円との誤差を縮めるためにスイングの矯正練習を行うことができるスイング練習機を提供することを目的とする。
【課題を解決するための手段】
【０００４】
本発明のスイング練習機は、ゴルフ練習場等の打席に位置するプレーヤーを映し出す、ゴルフ練習場等の打席正面に位置する第一液晶モニターと、該第一液晶モニターと背中合わせに配置され、同プレーヤーの同映像を同時に映し出す第二液晶モニターと、前記第一液晶モニターと第二液晶モニターとを角度調整自在に支承するモニター固定板と、該モニター固定台板を適宜高さ位置に支持する高さ調整自在のモニター支持スタンドと、該モニター支持スタンドを中心位置に立設し、水平回転可能に軸支された操作パネル回転盤と、前記第一液晶モニター側の操作パネル回転盤上に配置され、各種操作スイッチを有する操作パネルと、前記操作パネル回転盤を水平回転可能にする四脚固定台に開閉脚自在に固定された四脚とから構成されるものである。
前記第一液晶モニター及び第二液晶モニター画面上に自身のスイング中で矯正したい個所にラインや円等を予め自身の手により表示し、更に、正面、側面、背面等に配置されたビデオカメラによる画像を同画面に取り込み合成した画像を元にしてリアルタイムでスイング矯正練習を行うことができる。
前記第一液晶モニター及び前記第二液晶モニター画面上に表示される直線や斜線や円などは予め自身のスイング中で矯正したい個所に自身で画像上に書き込むか又はボタン操作等により画面上に表示させ、角度、大きさ、太さ、長さ、色、本数等をそれぞれ調整できる。
前記第一液晶モニター及び前記第二液晶モニター画面上に格子状のラインが常時表示されている。
前記第一液晶モニター及び前記第二液晶モニター画面に正面及び背面に配置された移動自在なビデオカメラにより撮影された画像を表示する際に画面上には常時時計の時刻表示を模した円が表示されおり、その円には１時から１２時までの時刻位置に数字表示がなされ、なおかつそれぞれの時刻間は異色で表示されている。
前記第一液晶モニター及び第二液晶モニター画面上の画像は、カメラが打席正面に配置され撮影された場合に打席上でスイングチェックを繰り返すプレーヤーから見て左右の位置が逆位置に表示される。
前記第一液晶モニター側の操作パネル回転盤上に配置され、各種操作スイッチを有する操作パネルを操作しラインや円等を指導的立場にある第三者等が第二モニター画面上に挿入した場合、第一液晶モニター画面を見てスイング矯正練習を行うプレーヤーにラインや円などの挿入画像により矯正部分の指示指導を行うことができる。
前記第一液晶モニターの左右にはそれぞれクラブタッチ感知センサーが配置されている。
前記第一液晶モニター下部には固定型ピンポイント照射ランプが設けられている。
前記第一液晶モニター下部には角度調整自在なピンポイント照射ライトが複数個設けられている。
前記第一液晶モニター及び第二液晶モニターの画面上に表示される画像は移動自在なビデオカメラ下部には固定型ピンポイント照射ライトが備えられている。
【発明の効果】
【０００５】
本発明のスイング練習機は、打席前面に配置された前記第一液晶モニター及び第二液晶モニター画面上に映し出されるチェックラインや円等と自身のリアルタイムスイング画像を見比べながらリアルタイムでスイング矯正練習を行うことができるものである。モニターに映し出される自身のリアルタイムスイング画像を見ながら自身の感覚とモニター画面上に自身で挿入したチェックライン等との感覚的な誤差を矯正するため素振りやハーフスイングやフルスイング等で反復練習することでスイングプレーンなどの完成度を高めるものである。したがって、再生画像を元にして第三者の手によりラインなどを挿入し行なわれてきた従来のスイングチェック方法とは大きく異なる。自身で液晶モニター画面上にラインや円を表示することによりチェック個所を指定し、それにリアルタイムスイング画像を取り込み合成したスイング画像を元に素振り等によりリアルタイムでスイング矯正練習を行うもので、再生画像にチェックライン等を挿入して行う従来のスイングチェック方法とは異なりリアルタイム画像を元に行うスイングチェックはその効果も高い。
【０００６】
ゴルフ練習場等の打席前面に配置された前記第一液晶モニター及び第二液晶モニター画面上にあらかじめプレーヤー自身の手によって自身のスイングで修正したい個所にラインや円などを表示、なおかつ、正面、側面、背面、などに配置されたビデオカメラによるそれぞれの位置からのリアルタイムスイング画像を同画面に取り込み合成した画像によりリアルタイムでスイング矯正練習を行うことができることから再生画像を元に行うスイングチェック方法とは異なるビデオ映像によるスイング矯正練習方法を提供できる。
【０００７】
前記第一液晶モニター及び前記第二液晶モニター画面上に表示される直線や斜線や円などは予め自身のスイング中で矯正したい個所に自身で画像上に書き込むか又はボタン操作等により画面上に表示させ、角度、大きさ、太さ、長さ、色、本数等をそれぞれ調整できる。これによりリアルタイムでスイングチェックが可能となり再生画像を元にスイングチェックを行う等とは異質な練習方法を提供できる。
【０００８】
前記第一液晶モニター及び前記第二液晶モニター画面上に格子状のラインが常時表示されていることから、スイング中の、頭の上下左右の動き、体全体の上下左右の動き、膝の上下左右の動き、等をリアルタイムでチェックすることができ、これにより再生画像を元にスイングチェックを行う等とは異質な練習方法を提供できる。
【０００９】
前記第一液晶モニター及び前記第二液晶モニター画面に正面及び背面に配置された移動自在なビデオカメラにより撮影された画像を表示する際に画面上には常時時計の時刻表示を模した円が表示されおりその円には１時から１２時までの時刻位置に数字表示がなされ、なおかつそれぞれの時刻間は異色で表示されている。これによりプレーヤーはオーバースイングの矯正やハーフスイングのトップ位置等をリアルタイムで確認でき、再生画像を元にスイングチェックを行う等とは異質な練習方法を提供できる。
【００１０】
前記第一液晶モニター及び第二液晶モニター画面上の画像は、カメラが打席正面に配置され撮影された場合に打席上でスイングチェックを繰り返すプレーヤーから見て左右の位置が逆位置に表示される。したがって、打席正面に配置されたカメラにより撮影された画像を見る場合は鏡位置で見るような画像にはならずリアルタイムでスイング矯正を行う場合の画像としては違和感のある画像となる。本発明では打席正面に配したカメラにより撮影された画像を前面に配した前記第一液晶モニター及び第二液晶モニター画面で見る場合の違和感を払拭するため一旦取り込んだ画像の修正処理を行った後鏡同様の効果を持つ画像として表示し違和感のない画像によりスイング矯正ができ、これによりリアルタイムでのスイングチェックが違和感無く行うことが可能となり再生画像を元にスイングチェックを行う等とは異質な練習方法を提供できる。
【００１１】
前記第一液晶モニター側の操作パネル回転盤上に配置され、各種操作スイッチを有する操作パネルを操作しラインや円等を指導的立場にある第三者等が第二モニター画面上に挿入した場合第一液晶モニター画面を見てスイング矯正練習を行うプレーヤーにラインや円などの挿入画像により矯正部分の指示指導を行うことができる。これにより口頭での指導や再生画像を元にしてライン等を表示してチェックする方法とは異なりラインや円を挿入したリアルタイム画像により矯正指導ができることから新たな指導方法を提供することができる。
【００１２】
前記第一液晶モニターの左右にはそれぞれクラブタッチ感知センサーが配置されている。このクラブタッチ感知センサーはプレーヤーが前面の第一モニター画面のリアルタイム映像を見ながら練習を行う際に録画や再生やストップなどのボタン操作を行うためその都度打席をはずす必要もなく打席でのアドレス姿勢のままゴルフクラブをモニター部の左右側面に差し出す事でそれぞれのクラブタッチ感知センサーが差し出されたクラブを感知し同時に録画の開始や再生の開始を自動的に行うためのものである。これによりプレーヤーは操作パネル上のボタン操作を行うため打席を離れ練習を中断することがない。
【００１３】
前記第一液晶モニター下部には固定型ピンポイント照射ランプが設けられている。プレーヤーのアドレス時に体の中心にあたるように照射した場合は本体モニター部がプレーヤーに正対する位置に設置されているかを確認でき設置位置の把握が簡便で容易となる。
【００１４】
前記第一液晶モニター下部には角度調整自在なピンポイント照射ライトが複数個設けられている。たとえばこれが左右の膝を照射した場合にはその照射から膝をはずさないことで膝のスウェー等を抑制する効果を出し、ハーフスイングの練習時にはハーフスイングのトップ位置に照準を合わせることで腕が照射された位置がハーフスイングのトップ位置であることがリアルタイムで確認できる。これらピンポイント照射ライトにより照射された光は自身の目で直接確認できる他にリアルタイム画像や再生画像にも取り込まれることからモニター画面上に表示されるチェックラインや円などの表示と同様の効果を得ることができる。
【００１５】
前記第一液晶モニター及び第二液晶モニターの画面上に表示される画像は移動自在なビデオカメラにて撮影される。移動可能なカメラ下部には固定型ピンポイント照射ライトが備えられている。正面や側面や背面等に配置されたカメラ位置より体の中心を照射することにより配置されたカメラの画面上の中心位置を確認することができそれによりカメラ位置の修正が簡便で容易となる。従ってカメラ本体及び被写体の上下左右の位置調整などをカメラ本体の操作により行う必要が無く設置位置の選定を短時間にスムーズに行える効果を有する。
【００１６】
本格的なレッスンの場合はビデオカメラを複数台設置することができる。たとえば３台のカメラを設置して、正面、側面、背面、等から撮影を行う場合はそれぞれ同時に撮影されたリアルタイム画像がモニター上の同画面内に並べて表示され比較できる。このことにより各方向からのチェックラインなどが表示されたリアルタイム画像を同一画面で見ることができスイング中の回転軸やクラブの動きなどがそれぞれの方向からの画像により把握できリアルタイムで矯正することができる。また、３台配置されたカメラに番号を付し、それぞれ切り替え表示できることから各角度に配置されたカメラの画像を元にリアルタイムチェックも容易となる。
【発明を実施するための最良の形態】
【００１７】
本発明のスイング練習機の一実施例を図面に基づいて、以下に説明する。
本発明のスイング練習機は、図１に示すように、ゴルフ練習場等の打席に位置するプレーヤの映像を映し出す第一液晶モニター１と、該第一液晶モニター１と背中合わせに配置され、同プレーヤの同映像を同時に映し出す第二液晶モニター２と、前記第一液晶モニター１と第二液晶モニター２とを角度調整自在に支承するモニター固定台板３と、該モニター固定台板３を適宜高さ位置に支持する高さ調節自在のモニター支持スタンド４と、該モニター支持スタンド４を中心位置に立設し、水平回転可能に軸支された操作パネル回転盤５と、前記第一液晶モニター１側の操作パネル回転盤５上に配置され、各種の操作スイッチを有する操作パネル６と、前記操作パネル回転盤５を水平回転可能に軸支する四脚固定台７と、該四脚固定台７に開閉脚自在に固定された四脚８とから構成される。
前記モニター固定台板３には、前記第一液晶モニター１の姿勢角度を調整するモニター角度調整部９を設け、前記モニター固定台板３の正面にはプレーヤー側に向けて可視光線を照射する複数個のピンポイント照射ランプ１０を設け、さらに前記モニター固定台板３の両側面にはゴルフクラブを近接することにより感知動作するクラブタッチ感知センサー１１を設け、該クラブタッチ感知センサー１１を操作スイッチとして機能させる。
図２に示すように、前記操作パネル６の操作スイッチは、押動スイッチ以外に、ゴルフクラブを接触させることにより感知動作するクラブタッチ感知センサー１１とすることができる。
また、前記操作パネル６の下部には、外部記憶媒体を挿入することができるようにＤＶＤ挿入口１２、ＭＤ挿入口１３、ＳＤ挿入口１４を形成し、録画した画像をＤＶＤ、ＭＤ、ＳＤに保存できるようにする。
前記操作パネル回転盤５の下部に起動用の電源電池を内蔵する電池ボックス１５を設け、さらに前記電池ボックス１５の下部に収納ボックス１６を設ける。
なお、１８は録画中表示ランプ、１９はＤＶＤ・ＭＤ・ＳＤ収納部、２０はゴルフボール補給機である。
【００１８】
次に、本発明のスイング練習機の使用操作を図面に基づいて、以下に説明する。
図３に示すように、本格的なレッスンの場合はビデオカメラ１７を複数台設置することができる。
たとえば３台のビデオカメラ１７を設置して、正面、側面、背面等から撮影を行う場合はそれぞれ同時に撮影されたリアルタイム画像が前記第一液晶モニター１及び第二液晶モニター２上の同画面内に並べて表示され比較できる。
このことにより各方向からのチェックラインなどが表示されたリアルタイム画像を同一画面で見ることができスイング中の回転軸やクラブの動きなどがそれぞれの方向からの画像により把握できリアルタイムで矯正することができる。
前記第一液晶モニター１及び第二液晶モニター２画面上に自身のスイング中で矯正したい個所にラインや円等を予め自身の手により表示し、更に、正面、側面、背面等に配置されたビデオカメラ１７による画像を同画面に取り込み合成した画像を元にしてリアルタイムでスイング矯正練習を行うことができる。
また、３台配置されたビデオカメラ１７に番号を付し、それぞれ切り替え表示できることから各角度に配置されたビデオカメラ１７の画像を元にリアルタイムチェックも容易となる。
【００１９】
ゴルフ練習場等の打席正面に配置した第一液晶モニター１と該第一液晶モニター１と背中合わせに配置された第二液晶モニター２がモニター固定台板３上にあること、また操作パネル回転盤５を回転させることにより操作パネル６を前記第一液晶モニター１側と前記第二液晶モニター２側の双方で使用できることから、プレーヤーがスイング練習中に第三者の指導を受ける場合は、レッスンプロ等の第三者が前記第二液晶モニター２側の操作パネル６からチェックライン等の角度調整や新たなチェックライン等の書き込み挿入等を行うことができる。
従って、プレーヤーは第一液晶モニター１画面上に表示される第三者のリアルタイムチェックライン等を見ながら練習を行うことができるので、単なる口頭での指導等と比べ大きなスイング矯正効果を生む。
なお、第三者が前記第二液晶モニター２側の操作パネル６を操作する場合には、プレーヤーは練習を休止する必要がなくスムーズな練習を容易にする。
【００２０】
次に、ゴルフ練習場等の打席正面に配置される前記第一液晶モニター１及び第二液晶モニター２画面上の画像は、ビデオカメラ１７が打席正面に配置され撮影された場合に打席上でスイングチェックを繰り返すプレーヤーから見て左右の位置が逆位置に表示される。
したがって、打席正面に配置されたビデオカメラ１７により撮影された画像を見る場合は鏡位置で見るような画像にはならずリアルタイムでスイング矯正を行う場合の画像としては違和感のある画像となる。
本発明では打席正面に配したビデオカメラ１７により撮影された画像を前面に配した前記第一液晶モニター１及び第二液晶モニター２画面で見る場合の違和感を払拭するため一旦取り込んだ画像の修正処理を行った後、鏡同様の効果を持つ画像として表示し違和感のない画像によりスイング矯正ができる。
【００２１】
ゴルフ練習場等の打席正面に配置される第一液晶モニター１と第二液晶モニター２画面上に表示される直線や斜線や円などは予め自身のスイング中で矯正したい個所に自身で画面上に書き込むか又はボタン操作等により画面上にラインや円を表示させ、角度、大きさ、太さ、長さ、色、本数等をそれぞれ調整できるようにする。
また、タッチパネル等の操作でこれらのライン等を表示させても良い。
【００２２】
さらに、前記第一液晶モニター１及び前記第二液晶モニター２画面に正面及び背面に配置された移動自在なビデオカメラ１７により撮影された画像を表示する際に画面上には常時時計の時刻表示を模した円が表示されおり、その円には１時から１２時までの時刻位置に数字表示がなされ、なおかつそれぞれの時刻間は異色で表示されている。
これによりプレーヤーはオーバースイングの矯正やハーフスイングのトップ位置等をリアルタイムで確認できる。
それぞれの時刻位置には数字表示や時刻間の異色表示もなされていることでハーフスイングのトップ位置やトップスイングでのオーバースイング等の把握が容易となる。
従って、数字表示や時刻間の異色表示はオーバースイングの矯正、ハーフスイングのトップ位置確認、スイングプレーンの弧の大きさ確認、等に大きな効果をもたらす。
また、ゴルフ練習場等の打席正面に配置される前記第一液晶モニター１及び前記第二液晶モニター２画面上に格子状のラインが常時表示されていることから、スイング中の、頭の上下左右の動き、体全体の上下左右の動き、膝の上下左右の動き、等をリアルタイムでチェックすることができる。
【００２３】
ゴルフ練習場等の打席正面に配置される第一液晶モニター１下部に配置される固定型ピンポイント照射ランプ１０が複数個配置されている。
プレーヤーのアドレス時に体の中心に当るように照射した場合は第一液晶モニター１がプレーヤーに正対する位置に設置されているかを確認でき、設置位置の把握が簡便で容易となる。
【００２４】
さらに、ゴルフ練習場等の打席正面に配置される第一液晶モニター１下部には角度調整自在なピンポイント照射ランプ１０が複数個設けられており、例えばこれらが左右の膝を照射した場合にはその照射から膝をはずさないことで膝のスウェー等を抑制する効果を出し、ハーフスイングの練習時にはハーフスイングのトップ位置であることが確認できる。
これらピンポイント照射ライト１０により照射された光は自身の目で直接確認できる他にリアルタイム画像や再生画像にも取り込まれることから第一モニター１画面上に表示されるチェックラインや円などの表示と同様の効果を得ることができる。
【００２５】
ゴルフ練習場等の打席正面に配置される第一液晶モニター１の左右にはそれぞれクラブタッチ感知センサー１１が配置されており、このクラブタッチ感知センサー１１はプレーヤーが正面の第一液晶モニター１を見ながら練習を行なう際に録画や再生やストップなどの操作パネル６上のボタン操作をクラブタッチ感知センサー１１により行うため、その都度打席を外す必要もなく打席でのアドレス姿勢のままゴルフクラブを第一液晶モニター１の左右側面に差し出すことでそれぞれのクラブタッチ感知センサー１１が差し出されたゴルフクラブを感知し、同時に録画の開始や再生の開始を自動的に行うためのものである。
これによりプレーヤーは操作パネル６上のボタン操作を行うために練習を中断することがなく、また重さや触れられたことを感知するクラブタッチ感知センサー１１を操作パネル６上に配置した場合はアドレス状態のままウッドやアイアンなどのクラブで触れることでその都度打席を外すことなく操作でき練習を継続できる。
【００２６】
前記第一液晶モニター１及び第二液晶モニター２の画面上に表示される画像は移動自在なビデオカメラ１７にて撮影される。
移動可能なビデオカメラ１７下部には固定型ピンポイント照射ランプ（図示せず）が備えられており、正面や側面や背面等に配置されたビデオカメラ１７位置により体の中心を照射することにより、配置されたビデオカメラ１７の画面上の中心位置を確認することができ、それによりビデオカメラ１７位置の修正が簡便で容易となる。
従って、ビデオカメラ１７本体及び被写体の上下左右の位置調整などをビデオカメラ１７本体の操作により行う必要がなく設置位置の選定をスムーズに行える効果を有する。
すなわち、ピンポイント照射ランプ（図示せず）が体の中心を照射し、ビデオカメラ１７位置の正確な位置を認識できる。
従って、プレーヤーが第一液晶モニター１画面に取り込まれる画像の位置合わせ等を行うことは不要となり、そのことにより第一液晶モニター１画面上にラインや円を挿入する際にも本人がその位置に立たなくても正確な位置にそれを表示できる効果を持つことになる。
【００２７】
さらに、移動可能なビデオカメラ１７下部には角度調整自在なピンポイント照射ランプ（図示せず）が備えられており、これらが頭部や腹部や膝部等を照射した状態を再生画像に取り込むことができることからスイング中に前後や上下に過度の動きが生じているかどうかを再生画像によってもチェックができ、第一液晶モニター１画面を見ながらの素振り練習においてスイング矯正を行う場合も第一液晶モニター１画面上に表示されるラインや円を参考にするのと同様にチェック個所が容易に把握できる効果を持つ。
【図面の簡単な説明】
【００２８】
【図１】本発明のスイング練習機の概略側面図である。
【図２】本発明のスイング練習機の概略正面図である。
【図３】本発明のスイング練習機の使用状態を示す概略説明図である。
【符号の説明】
【００２９】
１  第一液晶モニター
２  第二液晶モニター
３  モニター固定台板
４  モニター支持スタンド
５  操作パネル回転盤
６  操作パネル
７  四脚固定台
８  四脚
９  モニター角度調整部
１０  ピンポイント照射ランプ
１１  クラブタッチ感知センサー
１２  ＤＶＤ挿入口
１３  ＭＤ挿入口
１４  ＳＤ挿入口
１５  電池ボックス
１６  収納ボックス
１７  ビデオカメラ
１８  録画中表示ランプ
１９  ＤＶＤ・ＭＤ・ＳＤ収納部
【図１】
2007209650.tif 000003
【図２】
2007209650.tif 000004
【図３】
2007209650.tif 000005